(57)【特許請求の範囲】
【請求項１】
回転操作部材と、
前記回転操作部材に固定されるとともに、接片部材が固定される固定部材と、
前記接片部材が接触する配線パターンが形成される配線基板と、
一方面側で前記回転操作部材を回動可能に支持し、他方面側で前記固定部材を回動可能に支持するとともに、他方面側で前記配線基板を支持する支持部材と、を有し、
前記固定部材は、高摺動性の樹脂材料で形成され、
前記支持部材には、前記一方面と前記他方面とを貫通する貫通孔が形成され、
前記固定部材には、前記回転操作部材がどのような回動位置となっても、前記貫通孔を塞ぐ閉鎖部が形成され、
前記固定部材を前記支持部材の凹部に設けることでクランク形状が形成され、
前記クランク形状を構成する、前記支持部材と前記回転操作部材との隙間、および前記支持部材と前記固定部材との隙間はそれぞれ、前記支持部材の貫通孔と前記回転操作部材との隙間、および前記支持部材の貫通孔と前記固定部材との隙間に設けられていることを特徴とする電子機器。
【請求項２】
前記固定部材は、ＰＯＭ樹脂で形成されており、前記支持部材と前記配線基板との間に配置されることを特徴とする請求項１に記載の電子機器。
【請求項３】
前記支持部材には、前記貫通孔の周囲に前記閉鎖部を収容する凹部が形成されることを特徴とする請求項２に記載の電子機器。
【請求項４】
前記凹部と前記閉鎖部との隙間に潤滑剤が充填されることを特徴とする請求項３に記載の電子機器。
【発明の詳細な説明】
【技術分野】
【０００１】
本発明は、回転操作部材を備えた電子機器に関する。
【背景技術】
【０００２】
従来より、２つのダイヤル操作部材を有するダイヤルスイッチが知られている。従来の構成について図８、図９を用いて説明する。図８は従来の電子機器の上面図、図９（ａ）は図８におけるＡ′−Ａ′断面図であり、図９（ｂ）は図９（ａ）の点線で囲んだ部分の詳細図である。第１のダイヤル操作部材は撮影モードの変更が可能なモードダイヤル２００であり、第２のダイヤル操作部材は電子機器の電源スイッチ操作部３００である。モードダイヤル２００、電源スイッチ操作部３００は、上カバー５００に取り付けられたダイヤル支持部材７００に回動可能に組みつけられ、同軸で回動可能となっている。ダイヤル支持部材７００にモードダイヤル２００、電源スイッチ操作部３００の回転規制を設けることで、電子機器の小型化、構成の簡略化が可能となる。例えば、特許文献１は、２段構造の回転操作部材の操作性を向上させ、且つ誤動作を防止することが出来るダイヤルスイッチを提案している。
【先行技術文献】
【特許文献】
【０００３】
【特許文献１】特開平９−５００７６号公報
【発明の概要】
【発明が解決しようとする課題】
【０００４】
電源スイッチ操作部３００の位相検知は、電源スイッチ位相検知部３１０に取り付けられた電源スイッチ位相接片１９０が位相基板９００上を回動することによって行われる。このような構成においては、電源スイッチ位相検知部３１０が上カバー５００とダイヤル支持部材７００を貫通しなければならない。このため、図９（ｂ）の隙間２１０、２２０、２３０、２４０、２５０がカメラ内部への水の侵入経路となってしまう。電源スイッチ操作部３００は上カバー５００およびダイヤル支持部材７００に対して回動するため、隙間２１０、２２０、２３０、２４０、２５０を無くすことは不可能である。
【０００５】
そこで、本発明は簡単な構成で水滴などが侵入しにくい構造の回転操作部材を備えた電子機器を提供することを目的とする。
【課題を解決するための手段】
【０００６】
上記目的を達成するために、本発明の一側面としての電子機器は、回転操作部材と、前記回転操作部材に固定されるとともに、接片部材が固定される固定部材と、前記接片部材が接触する配線パターンが形成される配線基板と、一方面側で前記回転操作部材を回動可能に支持し、他方面側で前記固定部材を回動可能に支持するとともに、他方面側で前記配線基板を支持する支持部材と、を有し、前記固定部材は、高摺動性の樹脂材料で形成され、前記支持部材には、前記一方面と前記他方面とを貫通する貫通孔が形成され、前記固定部材には、前記回転操作部材がどのような回動位置となっても、前記貫通孔を塞ぐ閉鎖部が形成され、前記固定部材を前記支持部材の凹部に設けることでクランク形状が形成され、前記クランク形状を構成する、前記支持部材と前記回転操作部材との隙間、および前記支持部材と前記固定部材との隙間はそれぞれ、前記支持部材の貫通孔と前記回転操作部材との隙間、および前記支持部材の貫通孔と前記固定部材との隙間に設けられていることを特徴とする。
【発明の効果】
【０００７】
本発明によれば、簡単な構成で水滴などが侵入しにくい構造の回転操作部材を備えた電子機器を提供することができる。
【図面の簡単な説明】
【０００８】
【図１】本発明の電子機器の実施形態の一例であるデジタル一眼レフカメラの背面斜視図である。
【図２】本発明のデジタル一眼レフカメラの上面図である。
【図３】本発明のデジタル一眼レフカメラの主要分解斜視図である。
【図４】固定部材の組み付け方法を示す図である。
【図５】図３の分解斜視図に示す全ての部品が組み付けられた状態をデジタル一眼レフカメラの内側より示した図である。
【図６】図２のＡ-Ａ線に沿う断面図である。
【図７】位相基板の積層構成を示す図である。
【図８】従来の電子機器の上面図である。
【図９】従来の電子機器における２段構造の回転操作部材の構成を示す断面図である。
【発明を実施するための形態】
【０００９】
以下に、本発明の好ましい実施の形態を、添付の図面に基づいて詳細に説明する。
【００１０】
図１は、本発明の電子機器の実施形態の一例であるデジタル一眼レフカメラの背面斜視図である。
【００１１】
５０はデジタル一眼レフカメラであり、２段構造の回転操作部材を備えている。１はモードダイヤル化粧板、２は第１の回転操作部材であるモードダイヤル、３は第２の回転操作部材である電子機器の電源スイッチ操作部である。
【００１２】
図２は本発明のデジタル一眼レフカメラの上面図、図３は本発明のデジタル一眼レフカメラの主要分解斜視図、図４は固定部材の組み付け方法を示す図である。図５は、図３の分解斜視図に示す全ての部品が組み付けられた状態をデジタル一眼レフカメラ５０の内側より示した図である。
【００１３】
４はクリック板ばね、５はデジタル一眼レフカメラ５０の外装部材の一部である上カバー、６は防滴ゴムである。モードダイヤル２と電源スイッチ操作部３は、上カバー５に対して回動可能に取り付けられている。７は、モードダイヤル２と電源スイッチ操作部３を同軸上に回動可能に支持するダイヤル支持部材である。８は両面テープ、９はモードダイヤル２と電源スイッチ操作部３の両方の回動位置を検出する配線パターンが形成される位相基板（配線基板）である。ダイヤル支持部材７の一方面側にて、モードダイヤル２および電源スイッチ操作部３は、それぞれ回動可能に支持される。ダイヤル支持部材７の他方面側にて、位相基板９は支持される。１０はクリックボール、１１はモードダイヤルクリックばね、１２はモードダイヤルクリックばねおさえ板、１３はビス、１４は位相基板９に形成される配線パターンと接触するモードダイヤル位相接片、１５はモードダイヤルクリック板、１６、１７はビスである。１８は固定部材、１９は位相基板９に形成される配線パターンと接触する電源スイッチ位相接片、２０は電源スイッチ位相接片おさえ板、２１はビスである。７１はダイヤル支持部材７の凹部、７２はダイヤル支持部材７の一方面と他方面とを貫通する貫通孔である。凹部７１は貫通孔７２の周囲に形成される。
【００１４】
各部品の組み付けについて説明する。まず、図４（ａ）に示すように両面テープ８をダイヤル支持部材７の他方面側に貼り付ける。次に、図４（ｂ）に示すように固定部材１８をダイヤル支持部材７の他方面側に配置する。これによって、固定部材１８が貫通孔７２を塞ぐ。つまり、固定部材１８に形成される電源スイッチ位相接片１９が固定される固定部分１８ａと、固定部材１８に形成される閉鎖部１８ｂによって、貫通孔７２が塞がれる。このとき、固定部材１８の閉鎖部１８ｂは凹部７１に収容される、その上から位相基板９を組み付けると図４（ｃ）に示す状態となる。位相基板９には、固定部材１８の外形より小さな孔部９ａが形成されており、位相基板９は両面テープ８でダイヤル支持部材７に固定されるので、固定部材１８は、ダイヤル支持部材７と位相基板９との間に挟まれて保持される。なお、図４（ｃ）は電源スイッチ操作部３がＯＮの位置を示し、図４（ｄ）は電源スイッチ操作部３がＯＦＦの位置を示す。位相基板９の孔部９ａは、電源スイッチ操作部３がＯＮの位置であっても、ＯＦＦの位置であっても、固定部分１８ａの移動範囲を妨げない大きさとなっている。このようにして、ダイヤル支持部材７と位相基板９によって作られた空間に固定部材１８が回動可能に組み付けられる。図４（ｃ）および（ｄ）に示すように、電源スイッチ操作部３がＯＮの位置であっても、ＯＦＦの位置であっても、ダイヤル支持部材７の貫通孔７２は、固定部材１８の固定部分１８ａと閉鎖部１８ｂによって塞がれる。これによって、ダイヤル支持部材７の貫通孔７２から位相基板９に、水などが侵入することを防止することができる。
【００１５】
次に、防滴ゴム６を上カバー５に組み付け、防滴ゴム６を圧縮しながらダイヤル支持部材７をビス１７で上カバー５に対して締結する。防滴ゴム６は上カバー５とダイヤル支持部材７との隙間を塞ぐ役割を持ち、本実施形態においてはシリコンラバーで硬度６０度としているが、特にシリコンラバーに限定されず、硬度も６０度でなくてもよい。
【００１６】
続いて、電源スイッチ操作部３の不図示の凹みに対して、クリック板ばね４を組み付ける。クリック板ばね４は電源スイッチ操作部３をＯＮの位置、あるいはＯＦＦの位置に安定させ、電源スイッチ操作部３の位相を正確に検知する役割を持つ。クリック板ばね４を組み付けた電源スイッチ操作部３を上カバー５に組み付けられたダイヤル支持部材７に組み付ける。電源スイッチ操作部３の位置と固定部材１８の位置とを合わせた後、固定部材１８の固定部分１８ａに電源スイッチ位相接片１９および電源スイッチ位相接片おさえ板２０を組み付ける。この状態にて、電源スイッチ操作部３、固定部材１８、電源スイッチ位相接片１９および電源スイッチ位相接片おさえ板２０をビス２１で固定する。ビス２１は、電源スイッチ位相接片おさえ板２０、電源スイッチ位相接片１９および固定部材１８を挿通して、電源スイッチ操作部３に締結される。
【００１７】
次に、モードダイヤル化粧板１を取り付けたモードダイヤル２をダイヤル支持部材７に組み付け、モードダイヤル位相接片１４をかしめたモードダイヤルクリック板１５をビス１６によってモードダイヤル２に締結する。続いて、モードダイヤルクリックばねおさえ板１２をビス１３によってダイヤル支持部材７に締結し、モードダイヤルクリックばねおさえ板１２の中央孔より、クリックボール１０、モードダイヤルクリックばね１１を組み付ける。モードダイヤルクリックばね１１は、モードダイヤル２の位相を各ポジションに安定させ、正確に位相を検出させる。
【００１８】
図６（ａ）は、図２のＡ-Ａ線に沿う断面図であり、図６（ｂ）は図６（ａ）の点線で囲んだ部分の詳細図である。デジタル一眼レフカメラ５０が屋外などにおいて雨などにさらされた場合、従来構成においては、前述したように図９に示す隙間２１０、２２０、２３０、２４０、２５０を順に水滴が通過し、電子機器内部に水滴が侵入してしまう。一方、本発明の実施形態に係る２段構造の回転操作部材では、前述したように固定部材１８を凹部７１に設けている。このため、図６（ｂ）に示す隙間１１０、１２０、１３０、１４０、１５０を通過して水滴が侵入するものの、水滴は固定部材１８に突き当たり、隙間１６０、１７０、１８０をクランクして通過しなければデジタル一眼レフカメラ５０内部には侵入しない。本実施形態において固定部材１８はＰＯＭで形成されており、摺動性を良くしている。そのため、隙間１６０、１７０、１８０は固定部材１８がダイヤル支持部材７と摺動するために必要最低限の隙間とすることができ、水滴が隙間１６０、１７０、１８０を通過しにくい構造となっている。なお、固定部材１８を硬質ゴムにすることや、隙間１６０、１７０、１８０をゼロにしてしまうと、著しく摩擦が大きくなることから電源スイッチ操作部３の操作性を損ねてしまう恐れがある。
【００１９】
また、図４（ｃ）、（ｄ）に示すように、位相基板９によって、固定部材１８の外周は覆い隠されているが、図７に示すように位相基板９には補強部材９１を積層しているため、両面テープ８で接着しきれない範囲も平面性を保っている。よって、隙間１８０を最小限に保つことができる。
【００２０】
また、隙間１６０、１７０、１８０に粘性の高いグリス等の潤滑剤を充填することも、さらに防滴性能を上げるために有効である。
【００２１】
本実施の形態によれば、従来技術の構成に対して部品点数の追加を最小限に抑え、簡単な構成で２段構造の回転操作部材の防滴性能を高めることができる。
【００２２】
以上、本発明の好ましい実施形態について説明したが、本発明はこれらの実施形態に限定されず、その要旨の範囲内で種々の変形及び変更が可能である。
【符号の説明】
【００２３】
２      モードダイヤル
３      電源スイッチ操作部
７      ダイヤル支持部材
９      位相基板
１８    固定部材
１８ｂ  閉鎖部
７２    貫通孔
【図１】
0006016356.tif 000002
【図２】
0006016356.tif 000003
【図５】
0006016356.tif 000004
【図８】
0006016356.tif 000005
【図３】
0006016356.tif 000006
【図４】
0006016356.tif 000007
【図６】
0006016356.tif 000008
【図７】
0006016356.tif 000009
【図９】
0006016356.tif 000010